(57)【要約】【課題】ユーザに自己の体内時計の状態を直感的に認識させる方法を提案する。【解決手段】ユーザの現在位置に関する位置情報と、前記現在位置での現在時刻を示す時刻情報とを取得する第１情報取得部と、前記ユーザの生体情報に基づく体内時計に関する体内時計情報を取得する第２情報取得部と、地図画像を表示部に表示させる表示制御部と、を備え、前記表示制御部は、前記現在位置に対して、前記現在時刻と前記体内時計の時間との間の時差に対応する場所を、前記地図画像上で特定して表示させる、情報処理装置。【選択図】図１
2013208315.tif 000002
【特許請求の範囲】
【請求項１】
ユーザの現在位置に関する位置情報と、前記現在位置での現在時刻を示す時刻情報とを取得する第１情報取得部と、
前記ユーザの生体情報に基づく体内時計に関する体内時計情報を取得する第２情報取得部と、
地図画像を表示部に表示させる表示制御部と、
を備え、
前記表示制御部は、
前記現在位置に対して、前記現在時刻と前記体内時計の時間との間の時差に対応する場所を、前記地図画像上で特定して表示させる、
情報処理装置。
【請求項２】
前記表示制御部は、特定された前記場所にアバターを表示させる、
請求項１に記載の情報処理装置。
【請求項３】
前記表示制御部は、前記時差の変動に応じて前記アバターの表示態様を変化させる、
請求項２に記載の情報処理装置。
【請求項４】
前記表示制御部は、ユーザが当該情報処理装置を使用している所定期間内における前記時差の変動に応じて前記アバターの表示態様を変化させる、
請求項３に記載の情報処理装置。
【請求項５】
前記地図画像上の前記アバターの位置は、前記時差に応じて変化し、
前記表示制御部は、前記アバターの位置を前記現在位置に位置させるためのアドバイス情報を表示させる、
請求項２に記載の情報処理装置。
【請求項６】
前記表示制御部は、前記体内時計と健康に関する情報を表示させる、
請求項１に記載の情報処理装置。
【請求項７】
前記表示制御部は、特定された前記場所に関する地域情報を表示させる、
請求項１に記載の情報処理装置。
【請求項８】
前記地図画像は、世界地図を示す画像である、
請求項１に記載の情報処理装置。
【請求項９】
前記地図画像は、地球の北半球と南半球を含み、
前記表示制御部は、前記北半球と前記南半球のうちの前記現在位置が含まれる側の前記時差に対応する場所を、前記地図画像上で特定して表示させる、
請求項８に記載の情報処理装置。
【請求項１０】
ユーザの現在位置に関する位置情報と、前記現在位置での現在時刻を示す時刻情報とを取得することと、
前記ユーザの生体情報に基づく体内時計に関する体内時計情報を取得することと、
前記現在位置及び該現在位置と時差がある場所を含む地図画像を、表示部に表示させることと、
前記現在位置に対して、前記現在時刻と前記体内時計の時間との間の時差に対応する場所を、前記地図画像上で特定して表示させることと、
を含む情報処理方法。
【請求項１１】
コンピュータに、
ユーザの現在位置に関する位置情報と、前記現在位置での現在時刻を示す時刻情報とを取得することと、
前記ユーザの生体情報に基づく体内時計に関する体内時計情報を取得することと、
地図画像を表示部に表示させることと、
前記現在位置に対して、前記現在時刻と前記体内時計の時間との間の時差に対応する場所を、前記地図画像上で特定して表示させることと、
を実行させるための、プログラム。
【発明の詳細な説明】
【技術分野】
【０００１】
本開示は、情報処理装置、情報処理方法、及びプログラムに関する。
【背景技術】
【０００２】
近年、人の体の状態が体内時計と共に変動することが知られており、体内時計の重要性に注目が集まっている。そして、健康の観点から、体内時計をずらさないようにすること、また、やむを得ず体内時計をずらす場合には、身体への負担を抑えるようにずらすことが求められている。
【０００３】
下記の特許文献１には、生体リズムを計測し、適切な外的刺激を加えて、生体リズムを制御するシステムが開示されている。このシステムは、勤務体系や時差に合わせて、概日リズムを調整し、又は一日の中で重要な試合や商談の時間に的を合わせて、最適な覚醒レベルを実現する方法が開示されている。
【先行技術文献】
【特許文献】
【０００４】
【特許文献１】特開平５−１５５９５号公報
【発明の概要】
【発明が解決しようとする課題】
【０００５】
ところで、体内時計には、通常の時計のような秒針、短針、長針などが無く、デジタルで数字表示もされない。このため、仮に体内時計が調整されても、ユーザは、自己の体内時計の状態を認識できない。また、上記の特許文献１は、体内時計の状態を視覚化することは、何ら着目していない。
【０００６】
そこで、本開示は、ユーザに自己の体内時計の状態を直感的に認識させる方法を提案する。
【課題を解決するための手段】
【０００７】
本開示によれば、ユーザの現在位置に関する位置情報と、前記現在位置での現在時刻を示す時刻情報とを取得する第１情報取得部と、前記ユーザの生体情報に基づく体内時計に関する体内時計情報を取得する第２情報取得部と、地図画像を表示部に表示させる表示制御部と、を備え、前記表示制御部は、前記現在位置に対して、前記現在時刻と前記体内時計の時間との間の時差に対応する場所を、前記地図画像上で特定して表示させる、情報処理装置が提供される。
【０００８】
かかる構成によれば、前記表示制御部は、ユーザの現在位置に対して、現在時刻と体内時計の時間との間の時差に対応する場所を、表示部に表示される地図画像上で特定する。これにより、ユーザは、表示部に表示される地図画像上で特定された場所と現在位置との差を見ることで、自己の体内時計のずれを直感的に知覚できる。また、体内時計のずれを調整した際に、地図画像上で特定された場所と現在位置との差を見ることで、調整の度合いを直感的に知覚できる。
【０００９】
また、本開示によれば、ユーザの現在位置に関する位置情報と、前記現在位置での現在時刻を示す時刻情報とを取得することと、前記ユーザの生体情報に基づく体内時計に関する体内時計情報を取得することと、地図画像を表示部に表示させることと、前記現在位置に対して、前記現在時刻と前記体内時計の時間との間の時差に対応する場所を、前記地図画像上で特定して表示させることと、を含む情報処理方法が提供される。
【００１０】
また、本開示によれば、コンピュータに、ユーザの現在位置に関する位置情報と、前記現在位置での現在時刻を示す時刻情報とを取得することと、前記ユーザの生体情報に基づく体内時計に関する体内時計情報を取得することと、地図画像を表示部に表示させることと、前記現在位置に対して、前記現在時刻と前記体内時計の時間との間の時差に対応する場所を、前記地図画像上で特定して表示させることと、を実行させるための、プログラムが提供される。
【発明の効果】
【００１１】
以上説明したように本開示によれば、ユーザに自己の体内時計の状態を直感的に認識させることが可能となる。
【図面の簡単な説明】
【００１２】
【図１】本開示の一実施形態に係る情報処理装置１００の機能構成の一例を示す図である。
【図２】一実施形態に係る表示部１２０に表示される地図の表示態様の一例を示す図である。
【図３】一実施形態に係る表示部１２０に表示される地図の表示態様の一例を示す図である。
【図４】一実施形態に係る表示部１２０に表示される地図の表示態様の一例を示す図である。
【図５】一実施形態に係る表示部１２０に表示される地図の表示態様の一例を示す図である。
【図６】一実施形態に係る情報処理装置１００の動作例を説明するためのフローチャートである。
【図７】一実施形態に係る情報処理装置１００のハードウェア構成例を示した説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．情報処理装置の構成例
２．情報処理装置の動作例
３．ハードウェア構成
４．まとめ
【００１５】
＜１．情報処理装置の構成例＞
図１を参照しながら、本開示の一実施形態に係る情報処理装置１００の構成例について説明する。図１は、本開示の一実施形態に係る情報処理装置１００の機能構成の一例を示す図である。
【００１６】
情報処理装置１００は、例えばスマートフォンや携帯電話等の携帯端末である。図１に示すように、情報処理装置１００は、第１情報取得部の一例である位置時刻取得部１０２と、第２情報取得部の一例である生体情報取得部１０４と、体内時間決定部１０６と、時差算出部１０８と、表示制御部１１０と、を有する。これらの機能構成は、情報処理装置１００が有するＣＰＵによって実現される。
【００１７】
（位置時刻取得部１０２）
位置時刻取得部１０２は、ユーザの現在位置に関する位置情報と、現在位置での現在時刻を示す時刻情報とを取得する。情報処理装置１００は、例えば内部時計を有し、位置時刻取得部１０２は内部時計により現在時刻を取得する。また、情報処理装置１００は、例えばＧＰＳを有し、位置時刻取得部１０２は、ＧＰＳにより現在位置を取得する。位置時刻取得部１０２は、取得した現在時刻及び現在位置に関する情報を時差算出部１０８に出力する。
【００１８】
（生体情報取得部１０４）
生体情報取得部１０４は、現在時刻のユーザの体内時計に関する生体情報を取得する。生体情報は、ユーザが入力部を介して情報処理装置１００に入力可能な情報である。ここで、生体情報は、例えば、ユーザの身体の深部体温、血液、毛根、代謝物等に関する情報である。そして、生体情報取得部１０４は、取得した生体情報を体内時計決定部１０６に出力する。
【００１９】
（体内時間決定部１０６）
体内時間決定部１０６は、生体情報取得部１０４から入力された生体情報に基づいて、現在時刻におけるユーザの体内時計の時間を決定する。例えば、体内時間決定部１０６は、深部体温の情報に基づいて、ユーザの体内時計の時間を決定する。体内時間決定部１０６は、生体情報取得部１０４から順次入力される生体情報に基づいて、ユーザの体内時計の時間をリアルタイムに決定しうる。体内時間決定部１０６は、決定結果を時差算出部１０８に出力する。
【００２０】
（時差算出部１０８）
時差算出部１０８は、位置時刻取得部１０２から入力された現在時刻と、体内時間決定部１０６により決定された体内時計の時間と、の間の時差を算出する。例えば、ユーザの体内時計の時間が実際の時刻と一致している場合には、時差は０であるが、体内時計の時間が実際の時刻からずれている場合には、時差がある。そして、時差算出部１０８は、算出結果を表示制御部１１０に出力する。
【００２１】
時差算出部１０８は、位置時刻取得１０２及び体内時間決定部１０６から順次入力される情報に基づいて、リアルタイムに時差を算出しても良い。かかる場合に、時差算出部１０８は、順次算出した結果を、記憶部１１４に記憶させる。また、時差算出部１０８は、記憶部１１４に記憶された算出結果に基づいて、時差の変動幅が所定値よりも大きいか否かを判定する。時差の変動幅が大きい場合には健康が害されていると考えられるので、上記の判定をすることで、ユーザの健康状態も判定できる。
【００２２】
（表示制御部１１０）
表示制御部１１０は、表示部１２０による表示を制御する。表示部１２０には、文字や画像等が表示される。例えば、表示部１２０は、図２〜図５に示す地球の世界地図に対応する地図画像（以下、単に地図とも）を表示する。世界地図に含まれる地域は、公知のように時差がある。例えば、日本は、欧州よりも時間が進んでいる。図２〜図５は、一実施形態に係る表示部１２０に表示される地図の表示態様の一例を示す図である。
【００２３】
図２及び図３の地図は、地球を球体状に示す地図であり、図４及び図５の地図は、地球を平面状に示す地図である。図２及び図３では、表示部１２０に対してユーザがタッチ操作を行うことで、地図を回転できる。このように地図を回転することで、ユーザは世界全体を見ることができる。なお、図２〜図５に示す世界地図の表示態様は、一例に過ぎず、他の表示態様であっても良い。
【００２４】
表示制御部１１０は、表示部１２０に表示される地図上にユーザの現在位置Ｐａを表示させる。図２〜図５では、画面にユーザを示す画像Ｕ、及びユーザの現在位置Ｐａが、示されている。これにより、ユーザは、表示部１２０を見ることで、自己の現在位置を直感的に知覚できる。
【００２５】
表示制御部１１０は、時差算出部１０８から入力された算出結果である時差に基づいて、現在位置に対して時差に対応する場所を地図上で特定して表示させる。具体的には、表示制御部１１０は、図２等に示すように、地図上の現在位置に対して時差に対応する場所Ｐｂに、アバターＡを表示させる。
【００２６】
例えば、図２及び図３では、体内時計の時間が実際の時刻よりも遅れており、時差に対応する場所Ｐｂであるインドに、アバターＡが表示されている。ここで、アバターＡは、ユーザを擬似的に表現したものであり、表示画面において表情や動作等が変化可能である。アバターとして、例えば図２及び図３に示す人が表示される。ただし、アバターは人に限定されず、例えば動物であっても良い。これにより、ユーザは、表示部１２０に表示された時差を示すアバターＡを見ることで、自己の体内時計の状態を直感的に知覚できる。この結果、ユーザは、体内時計の時間を正常な時間に戻すための方策（例えば、光を浴びる）等の行為を行うことができる。
【００２７】
上述したように時差がリアルタイムに順次算出されるので、地図に表示されるアバターＡの位置は、時差に応じて変化する。これにより、ユーザは、リアルタイムに自己の体内時計の状態を知覚できる。
【００２８】
表示制御部１１０は、地図と共に、現在時刻も表示させうる。図２〜図５では現在時刻を示す時計Ｔが示されている。また、表示制御部１１０は、現在時刻に対する体内時計のずれの度合いを表示しうる。具体的には、表示制御部１１０は、体内時計のずれの度合いに応じた色を表示する。例えば、表示制御部１１０は、体内時計のずれの度合いが所定の閾値よりも小さい場合には水色で時計Ｔを示し、体内時計のずれの度合いが大きい場合には赤色で時計Ｔを示す。これにより、ユーザは、体内時計のずれが許容範囲内の状態か、危険な状態かを直感的に知覚できる。
【００２９】
表示制御部１１０は、地図に表示させるアバターＡの表示態様を、時差の変動に応じて変化させうる。例えば、表示制御部１１０は、時差の変動が小さい場合には、図２に示すようにアバターＡを元気な状態で表示させ、時差の変動が閾値よりも大きい場合には、図３に示すようにアバターＡが疲れているように表示させる。これにより、ユーザは、自己の体内時計の変動が大きいことを直感的に知覚できる。なお、表示制御部１１０は、望ましくは、ユーザが情報処理装置１００を使用している所定期間内における時差の変動に応じてアバターＡの表示態様を変化させる。これにより、ユーザの所望の期間における体内時計の変動を直感的に知覚できる。
【００３０】
表示制御部１１０は、アバターの位置を現在位置に位置させるためのアドバイス情報を、地図と共に表示させうる。すなわち、ユーザの体内時計の時間を正常に戻すためのアドバイス情報が、表示される。図３では、アドバイス情報が文字情報Ｃで示されている。図３の表示によれば、体内時計が所定時間だけずれた状態で３日間経過したことが分かる。このため、ユーザは、表示されたアドバイス情報に促されて、体内時計を正常に戻すための方策を講じることになる。
【００３１】
表示制御部１１０は、体内時計と健康に関する情報を、地図と共に表示させうる。例えば、表示制御部１１０は、スポーツを行う際に最もパフォーマンスが高い体内時計の時間帯等に関する情報を、表示させる。これにより、ユーザは、体内時計と健康に関する豆知識を取得できる。
【００３２】
表示制御部１１０は、時差を示す場所Ｐｂの地域情報を表示させうる。地域情報としては、特定された場所の観光情報（例えば、世界遺産等の観光地に関する情報）等である。図３では、地域情報として、時差に対応して特定された場所の観光地を示す画像Ｃａが示されている。これにより、ユーザは、あたかも擬似旅行しているかのように他の場所に関する情報を取得できるので、情報処理装置１００を用いたエンターテイメント性を向上させることができる。
【００３３】
表示部１２０に表示される地図は、地球の北半球と南半球を含む。そして、表示制御部１１０は、現在位置に対して、北半球と南半球のうちのユーザの現在位置が含まれる側の時差に対応する場所を、地図上に特定して表示させる。例えば、ユーザの現在位置が北半球である場合には、図４に示すように時差に対応する場所Ｐｂも北半球となり、ユーザの現在位置が南半球である場合には、図５に示すように時差に対応する場所Ｐｂも南半球となる。北半球と南半球では、季節が異なる。すなわち、北半球と南半球では、太陽で出ている昼間の時間も異なり、体内時計の状態も異なりやすい。そこで、ユーザの誤解を与えないように、ユーザの現在位置に対応した北半球又は南半球における場所にアバターを表示させる。
【００３４】
なお、上記では、地図上にアバターＡを表示させることとしたが、これに限定されない。例えば、ユーザの現在位置に対して体内時計のずれに対応する場所を、地図上でマーク等の図形により特定することとしても良い。かかる場合にも、ユーザは、体内時計のずれを直感的に知覚できる。
【００３５】
また、上記では、地図上のユーザの現在位置Ｐａを示すこととしたが、これに限定されない。ユーザの現在位置が明らかである場合には、地図上のユーザの現在位置を示さなくても良い。かかる場合には、地図上にアバターＡが表示されることで、ユーザは、現在位置が表示されなくても、体内時計のずれを直感的に知覚できる。
【００３６】
＜２．情報処理装置の動作例＞
図６を参照しながら、一実施形態に係る情報処理装置１００の動作例について説明する。図６は、一実施形態に係る情報処理装置１００の動作例を説明するためのフローチャートである。
【００３７】
図６に示す動作例は、情報処理装置１００のＣＰＵがＲＯＭに格納されているプログラムを実行することによって、実現される。なお、実行されるプログラムは、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、メモリカード等の記録媒体に記憶されても良く、インターネットを介してサーバ等からダウンロードされても良い。
【００３８】
まず、位置時刻取得部１０２は、現在時刻と、ユーザの現在位置とに関する情報を取得する（ステップＳ１０２）。例えば、位置時刻取得部１０２は、内部時計により現在時刻を取得し、ＧＰＳにより現在位置を取得する。
【００３９】
次に、生体情報取得部１０４は、現在時刻のユーザの体内時計に関する生体情報を取得する（ステップＳ１０４）。生体情報取得部１０４は、生体情報として、例えば身体の深部体温、血液、毛根に関する情報を取得する。
【００４０】
次に、体内時間決定部１０６は、取得した生体情報に基づいて、現在時刻におけるユーザの体内時計の時間を決定する（ステップＳ１０６）。
【００４１】
次に、時差算出部１０８は、ステップＳ１０２で取得された現在時刻と、ステップＳ１０６で決定された体内時計の時間との間の時差を算出する（ステップＳ１０８）。すなわち、時差算出部１０８は、体内時計がどれだけずれているかを判定する。そして、時差算出部１０８は、算出した時差を記憶部１１４に記憶させる（ステップＳ１１０）。
【００４２】
次に、時差算出部１０８は、時差の変動幅が所定値以上か否かを判定する（ステップＳ１１２）。すなわち、時差算出部１０８は、例えば記憶部１１４に記憶した所定期間の時差の変動が所定値よりも大きいか否かを判定する。
【００４３】
ステップＳ１１２で時差の変動幅が所定値以上で無い場合には（Ｎｏ）、表示制御部１１０は、ユーザの現在位置に対して時差に対応する地図上の場所（図２〜図５に示す場所Ｐｂ）に、アバターを通常の態様（第１態様）で表示させる（ステップＳ１１４）。すなわち、体内時計のずれが一時的なものであると判定され、表示制御部１１０は、アバターを健康な状態で表示する。
【００４４】
ステップＳ１１２で時差の変動幅が所定値以上である場合には（Ｙｅｓ）、表示制御部１１０は、ユーザの現在位置に対して時差に対応する地図上の場所（図２〜図５に示す場所Ｐｂに、アバターを疲れた態様（第２態様）で表示させる（ステップＳ１１６）。すなわち、体内時計のずれが大きく健康を害していると判定され、表示制御部１１０は、アバターを疲れた状態で表示する。
【００４５】
このように、ユーザの現在位置に対して時差に対応する地図上の場所にアバターを表示させることで、ユーザは体内時計のずれを直感的に知覚できる。なお、アバターの表示と共に、アバターが位置する場所の地域情報や、アバターを現在位置に移動させるためのアドバイス情報等が、表示されても良い。
【００４６】
そして、処理を継続する場合には（ステップＳ１１８：Ｙｅｓ）、上述したステップＳ１０２〜Ｓ１１６の処理が繰り返される。すなわち、体内時計のずれに応じて、表示制御部１１０は、リアルタイムにアバターを表示させる。一方で、処理を継続しない場合には（ステップＳ１１８：Ｎｏ）、情報処理装置１００の動作は完了する。
【００４７】
なお、上記では、時差のずれを記憶部１１４に記憶して、体内時計のずれの変動を判定することとしたが、かかる処理を省いても良い。これにより、情報処理装置１００の処理負担を軽減すると共に、記憶部１１４の使用領域を抑制できる。
【００４８】
＜３．ハードウェア構成＞
上述した情報処理装置１００による動作は、情報処理装置１００が備えるハードウェア構成とソフトウェアとが協働することにより実現される。そこで、以下では、情報処理装置１００のハードウェア構成を説明する。
【００４９】
図７は、一実施形態に係る情報処理装置１００のハードウェア構成例を示した説明図である。図７に示すように、情報処理装置１００は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、入力装置２０８と、出力装置２１０と、ストレージ装置２１１と、ドライブ２１２と、通信装置２１５とを備える。
【００５０】
ＣＰＵ２０１は、演算処理装置および制御装置として機能し、各種プログラムに従って情報処理装置１００内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一時記憶する。これらはＣＰＵバスなどから構成されるホストバスにより相互に接続されている。
【００５１】
入力装置２０８は、マウス、キーボード、タッチパネル、ボタン、マイクロフォン、スイッチおよびレバーなどユーザが情報を入力するための入力手段と、ユーザによる入力に基づいて入力信号を生成し、ＣＰＵ２０１に出力する入力制御回路などから構成されている。情報処理装置１００のユーザは、該入力装置２０８を操作することにより、情報処理装置１００に対して各種のデータを入力したり処理動作を指示したりすることが可能となる。
【００５２】
出力装置２１０は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置２１０は、スピーカおよびヘッドホンなどの音声出力装置を含む。例えば、表示装置は、撮像された画像や生成された画像などを表示する。一方、音声出力装置は、音声データ等を音声に変換して出力する。
【００５３】
ストレージ装置２１１は、本実施形態にかかる情報処理装置１００の記憶部の一例として構成されたデータ格納用の装置である。ストレージ装置２１１は、記憶媒体、記憶媒体にデータを記録する記録装置、記憶媒体からデータを読み出す読出し装置および記憶媒体に記録されたデータを削除する削除装置などを含んでもよい。このストレージ装置２１１は、ＣＰＵ２０１が実行するプログラムや各種データを格納する。
【００５４】
ドライブ２１２は、記憶媒体用リーダライタであり、情報処理装置１００に内蔵、あるいは外付けされる。ドライブ２１２は、装着されている磁気ディスク、光ディスク、光磁気ディスク、または半導体メモリ等のリムーバブル記憶媒体２２０に記録されている情報を読み出して、ＲＡＭ２０３に出力する。また、ドライブ２１２は、リムーバブル記憶媒体２２０に情報を書き込むこともできる。
【００５５】
通信装置２１５は、例えば、ネットワーク２３０に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ＬＴＥ（Ｌｏｎｇ  Ｔｅｒｍ  Ｅｖｏｌｕｔｉｏｎ）対応通信装置であっても、有線による通信を行うワイヤー通信装置であってもよい。
【００５６】
なお、ネットワーク２３０は、ネットワーク２３０に接続されている装置から送信される情報の有線、または無線の伝送路である。例えば、ネットワーク２３０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク２３０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００５７】
＜４．まとめ＞
上述したように、本開示の情報処理装置１００は、ユーザの現在位置に対して、現在時刻とユーザの体内時計の時間との間の時差に対応する場所を、表示部１２０に表示される地図上で特定する。例えば、情報処理装置１００は、時差に対応する場所にユーザを擬似的に示すアバターを表示させる。
【００５８】
これにより、ユーザは、表示部１２０に表示された地図上のアバターの位置と現在位置との差を見ることで、自己の体内時計のずれを直感的に知覚できる。また、体内時計のずれを調整した際に、表示部１２０に表示されたアバターの位置を見ることで、調整の度合いを直感的に知覚できる。特に、ユーザを擬似化したアバターを表示させることで、ユーザの体内時計に関する様々な表現が可能となり、よりエンターテイメント性を向上した情報処理装置１００を提供できる。
【００５９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６０】
上記の実施形態では、情報処理装置として、スマートフォンや携帯電話等の携帯端末であることとしたが、これに限定されない。例えば、情報処理装置は、ＰＤＡ、ゲーム機、ノートＰＣ等であっても良い。
【００６１】
また、上記の実施形態では、情報処理装置１００が、時差を算出することとしたが、これに限定されない。例えば、情報処理装置１００と通信装置２１５を介して通信可能なサーバが、時差を算出することとしても良い。かかる場合には、情報処理装置１００は、サーバの算出結果に基づき、アバターを表示部１２０で表示する。これにより、情報処理装置１００の構成を簡易にしつつ、ユーザに自己の体内時計の状態を直感的に認識させることが可能となる。
【００６２】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００６３】
本明細書において説明した情報処理装置による処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体に予め格納される。そして、各プログラムは、例えば、実行時にＲＡＭ（Random  Access  Memory）に読み込まれ、ＣＰＵなどのプロセッサにより実行される。
【００６４】
なお、以下のような構成も本開示の技術的範囲に属する。
（１）
ユーザの現在位置に関する位置情報と、前記現在位置での現在時刻を示す時刻情報とを取得する第１情報取得部と、
前記ユーザの生体情報に基づく体内時計に関する体内時計情報を取得する第２情報取得部と、
地図画像を表示部に表示させる表示制御部と、
を備え、
前記表示制御部は、
前記現在位置に対して、前記現在時刻と前記体内時計の時間との間の時差に対応する場所を、前記地図画像上で特定して表示させる、
情報処理装置。
（２）
前記表示制御部は、特定された前記場所にアバターを表示させる、
前記（１）に記載の情報処理装置。
（３）
前記表示制御部は、前記時差の変動に応じて前記アバターの表示態様を変化させる、
前記（２）に記載の情報処理装置。
（４）
前記表示制御部は、ユーザが当該情報処理装置を使用している所定期間内における前記時差の変動に応じて前記アバターの表示態様を変化させる、
前記（３）に記載の情報処理装置。
（５）
前記地図画像上の前記アバターの位置は、前記時差に応じて変化し、
前記表示制御部は、前記アバターの位置を前記現在位置に位置させるためのアドバイス情報を表示させる、
前記（２）〜（４）のいずれか１項に記載の情報処理装置。
（６）
前記表示制御部は、前記体内時計と健康に関する情報を表示させる、
前記（１）〜（５）のいずれか１項に記載の情報処理装置。
（７）
前記表示制御部は、特定された前記場所に関する地域情報を表示させる、
前記（１）〜（６）のいずれか１項に記載の情報処理装置。
（８）
前記地図画像は、世界地図を示す画像である、
前記（１）〜（７）のいずれか１項に記載の情報処理装置。
（９）
前記地図画像は、地球の北半球と南半球を含み、
前記表示制御部は、前記北半球と前記南半球のうちの前記現在位置が含まれる側の前記時差に対応する場所を、前記地図画像上で特定して表示させる、
前記（８）に記載の情報処理装置。
（１０）
ユーザの現在位置に関する位置情報と、前記現在位置での現在時刻を示す時刻情報とを取得することと、
前記ユーザの生体情報に基づく体内時計に関する体内時計情報を取得することと、
地図画像を表示部に表示させることと、
前記現在位置に対して、前記現在時刻と前記体内時計の時間との間の時差に対応する場所を、前記地図画像上で特定して表示させることと、
を含む情報処理方法。
（１１）
コンピュータに、
ユーザの現在位置に関する位置情報と、前記現在位置での現在時刻を示す時刻情報とを取得することと、
前記ユーザの生体情報に基づく体内時計に関する体内時計情報を取得することと、
地図画像を表示部に表示させることと、
前記現在位置に対して、前記現在時刻と前記体内時計の時間との間の時差に対応する場所を、前記地図画像上で特定して表示させることと、
を実行させるための、プログラム。
【符号の説明】
【００６５】
１００    情報処理装置
１０２    位置時刻取得部
１０４    生体情報取得部
１０６    体内時間取得部
１０８    時差算出部
１１０    表示制御部
１１４    記憶部
１２０    表示部
Ａ        アバター
Ｕ        ユーザ
【図１】
2013208315.tif 000003
【図２】
2013208315.tif 000004
【図３】
2013208315.tif 000005
【図４】
2013208315.tif 000006
【図５】
2013208315.tif 000007
【図６】
2013208315.tif 000008
【図７】
2013208315.tif 000009